(57)【要約】【課題】例えば、Ｂｌｕｅｔｏｏｔｈ（登録商標）の通常通信信号をＩｎｑｕｉｒｙ信号と誤検出することを防止する電子機器を提供する。【解決手段】実施形態によれば、本電子機器は、アンテナと、アンテナを用いた無線通信を実行する無線通信モジュールと、電源オフ状態にある無線通信モジュールを、所定の周波数成分で形成される所定の信号が前記アンテナを介して受信されたことを契機として電源オン状態に移行させるための省電力制御回路とを具備し、省電力制御回路は、所定の周波数成分を検出するためのバンドパスフィルタと、アンテナから入力された入力信号のパルス幅を検出するパルス幅検出回路と、パルス幅検出手段によって検出された入力信号のパルス幅が所定のパルス幅を越えている場合、バンドパスフィルタに供給する入力信号のパルス幅を所定のパルス幅以下に変更するパルス幅変更回路とを有する。【選択図】図１
2011254162.tif 000002
【特許請求の範囲】
【請求項１】
アンテナと、
前記アンテナを用いた無線通信を実行する無線通信モジュールと、
電源オフ状態にある前記無線通信モジュールを、所定の周波数成分で形成される所定の信号が前記アンテナを介して受信されたことを契機として電源オン状態に移行させるための省電力制御回路と
を具備し、
前記省電力制御回路は、
前記所定の周波数成分を検出するためのバンドパスフィルタと、
前記アンテナから入力された入力信号のパルス幅を検出するパルス幅検出回路と、
前記パルス幅検出手段によって検出された前記入力信号のパルス幅が所定のパルス幅を越えている場合、前記バンドパスフィルタに供給する前記入力信号のパルス幅を前記所定のパルス幅以下に変更するパルス幅変更回路と
を有する
電子機器。
【請求項２】
前記無線通信モジュールは、Ｂｌｕｅｔｏｏｔｈ（登録商標）規格に準拠した無線通信を実行し、
前記省電力制御回路は、８００Ｈｚおよび３．２ｋＨｚの周波数成分で形成されるＢｌｕｅｔｏｏｔｈ（登録商標）のＩｎｑｕｉｒｙ信号を検出する
請求項１記載の電子機器。
【請求項３】
前記省電力制御回路の前記バルス幅変更回路は、前記パルス幅検出手段によって検出された前記入力信号のパルス幅が８００Ｈｚの周期の１／４を越えている場合、前記バンドパスフィルタに供給する前記入力信号のパルス幅を前記８００Ｈｚの周期の１／４以下に変更する請求項２記載の電子機器。
【請求項４】
前記省電力制御回路の前記バンドパスフィルタは、８００Ｈｚの周波数成分を検出するための第１のバンドパスフィルタと、３．２ｋＨｚの周波数成分を検出するための第２のバンドパスフィルタとを含む請求項２記載の電子機器。
【請求項５】
前記省電力制御回路は、前記第１のバンドバスフィルタの検出信号と前記第２のバンドパスフィルタの検出信号との論理積によって前記Ｂｌｕｅｔｏｏｔｈ（登録商標）のＩｎｑｕｉｒｙ信号の受信有無を判定する判定回路をさらに有する請求項４記載の電子機器。
【請求項６】
所定の周波数成分で形成される所定の信号を検出するための信号検出回路であって、
前記所定の周波数成分を検出するためのバンドパスフィルタと、
入力信号のパルス幅を検出するパルス幅検出回路と、
前記パルス幅検出手段によって検出された前記入力信号のパルス幅が所定のパルス幅を越えている場合、前記バンドパスフィルタに供給する前記入力信号のパルス幅を前記所定のパルス幅以下に変更するパルス幅変更回路と、
を具備する信号検出回路。
【請求項７】
前記所定の周波数成分で形成される所定の信号は、８００Ｈｚおよび３．２ｋＨｚの周波数成分で形成されるＢｌｕｅｔｏｏｔｈ（登録商標）のＩｎｑｕｉｒｙ信号である請求項６記載の信号検出回路。
【請求項８】
前記バルス幅変更回路は、前記パルス幅検出手段によって検出された前記入力信号のパルス幅が８００Ｈｚの周期の１／４を越えている場合、前記バンドパスフィルタに供給する前記入力信号のパルス幅を前記８００Ｈｚの周期の１／４以下に変更する請求項７記載の信号検出回路。
【請求項９】
前記バンドパスフィルタは、８００Ｈｚの周波数成分を検出するための第１のバンドパスフィルタと、３．２ｋＨｚの周波数成分を検出するための第２のバンドパスフィルタとを含む請求項７記載の信号検出回路。
【請求項１０】
前記第１のバンドバスフィルタの検出信号と前記第２のバンドパスフィルタの検出信号との論理積によって前記Ｂｌｕｅｔｏｏｔｈ（登録商標）のＩｎｑｕｉｒｙ信号の受信有無を判定する判定回路をさらに有する請求項９記載の信号検出回路。
【請求項１１】
所定の周波数成分で形成される所定の信号を検出するための信号検出方法であって、
入力信号のパルス幅を検出し、
前記検出した前記入力信号のパルス幅が所定のパルス幅を越えている場合、前記所定の周波数成分を検出するためのバンドパスフィルタに供給する前記入力信号のパルス幅を前記所定のパルス幅以下に変更する
信号検出方法。
【請求項１２】
前記所定の周波数成分で形成される所定の信号は、８００Ｈｚおよび３．２ｋＨｚの周波数成分で形成されるＢｌｕｅｔｏｏｔｈ（登録商標）のＩｎｑｕｉｒｙ信号である請求項１１記載の信号検出方法。
【請求項１３】
前記パルス幅を変更することは、前記検出した前記入力信号のパルス幅が８００Ｈｚの周期の１／４を越えている場合、前記バンドパスフィルタに供給する前記入力信号のパルス幅を前記８００Ｈｚの周期の１／４以下に変更することである請求項１２記載の信号検出方法。
【請求項１４】
前記バンドパスフィルタは、８００Ｈｚの周波数成分を検出するための第１のバンドパスフィルタと、３．２ｋＨｚの周波数成分を検出するための第２のバンドパスフィルタとを含み、
前記第１のバンドバスフィルタの検出信号と前記第２のバンドパスフィルタの検出信号との論理積によって前記Ｂｌｕｅｔｏｏｔｈ（登録商標）のＩｎｑｕｉｒｙ信号の受信有無を判定する請求項１２記載の信号検出方法。
【発明の詳細な説明】
【技術分野】
【０００１】
本発明の実施形態は、例えば、Ｂｌｕｅｔｏｏｔｈ（登録商標）のＩｎｑｕｉｒｙ信号を検出するための信号検出技術に関する。
【背景技術】
【０００２】
近年、ケーブル等による接続作業を行うことなくデータを送受信することが可能な無線通信機能を有する電子機器が普及し始めている。この種の電子機器が実行する無線通信の１つとして、Ｂｌｕｅｔｏｏｔｈ（登録商標）が存在する。
【０００３】
Ｂｌｕｅｔｏｏｔｈ（登録商標）では、Ｂｌｕｅｔｏｏｔｈ（登録商標）信号が存在することを調べるために、Ｉｎｑｕｉｒｙ信号の検出が行われる。Ｂｌｕｅｔｏｏｔｈ（登録商標）のＩｎｑｕｉｒｙ信号は、８００Ｈｚおよび３．２ｋＨｚの周波数成分で形成されている。そして、このＢｌｕｅｔｏｏｔｈ（登録商標）におけるＩｎｑｕｉｒｙ信号のような所定の周波数成分で形成される所定の信号を検出するための方法として、所定の周波数成分をバンドパスフィルタで検出する方法が広く採用されている。
【先行技術文献】
【特許文献】
【０００４】
【特許文献１】特開２００３−３０９５７４号公報
【発明の概要】
【発明が解決しようとする課題】
【０００５】
ところで、Ｂｌｕｅｔｏｏｔｈ（登録商標）の通常通信信号（Ｄ１パケット）は、８００Ｈｚの周波数成分で形成される。また、Ｂｌｕｅｔｏｏｔｈ（登録商標）の通常通信時において、伝送路の影響で伝送信号のパルスのＤｕｔｙ変動が発生することは十分に考えられる。これにより、場合によっては、通常通信信号における３．２ｋＨｚの周波数成分が大きくなり、（８００Ｈｚと共に）３．２ｋＨｚの周波数成分がバンドパスフィルタで検出され、Ｉｎｑｕｉｒｙ信号が誤検出されてしまうおそれがあった。
【０００６】
この発明は、このような事情を考慮してなされたものであり、例えば、Ｂｌｕｅｔｏｏｔｈ（登録商標）の通常通信信号をＩｎｑｕｉｒｙ信号と誤検出することを防止する電子機器、信号検出回路および信号検出方法を提供することを目的とする。
【課題を解決するための手段】
【０００７】
実施形態によれば、本電子機器は、アンテナと、前記アンテナを用いた無線通信を実行する無線通信モジュールと、電源オフ状態にある前記無線通信モジュールを、所定の周波数成分で形成される所定の信号が前記アンテナを介して受信されたことを契機として電源オン状態に移行させるための省電力制御回路とを具備し、前記省電力制御回路は、前記所定の周波数成分を検出するためのバンドパスフィルタと、前記アンテナから入力された入力信号のパルス幅を検出するパルス幅検出回路と、前記パルス幅検出手段によって検出された前記入力信号のパルス幅が所定のパルス幅を越えている場合、前記バンドパスフィルタに供給する前記入力信号のパルス幅を前記所定のパルス幅以下に変更するパルス幅変更回路とを有する。
【図面の簡単な説明】
【０００８】
【図１】実施形態に係る電子機器のシステム構成を示す図。
【図２】実施形態の電子機器が備えるＩｎｑｕｉｒｙ信号検出部の機能ブロックを示す図。
【図３】同実施形態の電子機器が取り扱うＢｌｕｅｔｏｏｔｈ（登録商標）のＩｎｑｕｉｒｙ信号の信号波形を示す図。
【図４】同実施形態の電子機器が備えるＩｎｑｕｉｒｙ信号検出部内のバンドパスフィルタの特性を示す第１の図。
【図５】同実施形態の電子機器が備えるＩｎｑｕｉｒｙ信号検出部内のバンドパスフィルタの特性を示す第２の図。
【図６】同実施形態の電子機器が取り扱うＢｌｕｅｔｏｏｔｈ（登録商標）の通常通信信号（Ｄ１パケット）の信号波形を示す図。
【図７】図６に示した信号波形の周波数特性を示す図。
【図８】同実施形態の電子機器が備えるＩｎｑｕｉｒｙ信号検出部内のパルス幅変更部がパルス幅を形成した信号の信号波形を示す図。
【図９】図８に示した信号波形の周波数特性を示す図。
【図１０】同実施形態の電子機器が備えるＩｎｑｕｉｒｙ信号検出部の動作原理を示すフローチャート。
【発明を実施するための形態】
【０００９】
以下、実施形態について図面を参照して説明する。
【００１０】
図１には、実施形態に係る電子機器のシステム構成が示されている。本電子機器は、例えば、バッテリ駆動可能な携帯型パーソナルコンピュータとして実現されている。
【００１１】
図１に示すように、本電子機器は、ＣＰＵ１１、ノースブリッジ１２、主メモリ１３、グラフィクスコントローラ１４、ＬＣＤ（Liquid crystal display）１５、サウスブリッジ１６、ＢＩＯＳ（Basic input/output system）−ＲＯＭ（Read only memory）１７、ＨＤＤ（Hard disk drive）１８、ＯＤＤ（Optical disc drive）１９、無線通信モジュール２０、アンテナ２１、Ｉｎｑｕｉｒｙ信号検出部２２、ＥＣ／ＫＢＣ（Embedded controller/keyboard controller）２３、パワーボタン２４，キーボード２５およびタッチパッド２６等を備えている。
【００１２】
ＣＰＵ１１は、本電子機器の動作を制御するプロセッサであり、ＨＤＤ１８やＯＤＤ１９から主メモリ１３にロードされる、リソース管理を司るオペレーティングシステム（ＯＳ）や、当該ＯＳ配下で動作するユーティリティを含む各種アプリケーションプログラムを実行する。また、ＣＰＵ１１は、ＢＩＯＳ−ＲＯＭ１７に格納されたＢＩＯＳも実行する。ＢＩＯＳはハードウェア制御のためのプログラムである。
【００１３】
ノースブリッジ１２は、ＣＰＵ１１とサウスブリッジ１６との間を接続するブリッジとして動作すると共に、主メモリ１３をアクセス制御するメモリコントローラとして動作する。また、ノースブリッジ１２は、グラフィクスコントローラ１４との通信を実行する機能を有している。グラフィクスコントローラ１４は、本電子機器のディスプレイモニタとして使用されるＬＣＤ１５を制御する表示コントローラである。
【００１４】
サウスブリッジ１６は、ＨＤＤ１８およびＯＤＤ１９を制御するためのＩＤＥ（Integrated device electronics）コントローラを内蔵する。また、サウスブリッジ１６には、例えばＵＳＢ（universal serial bus）などを介して無線通信モジュール２０が接続されている。
【００１５】
無線通信モジュール２０は、アンテナ２１を介してＢｌｕｅｔｏｏｔｈ（登録商標）規格に準拠した無線通信を実行する。本電子機器は、例えばキーボード２５やタッチパッドが一定時間操作されなかった場合にＬＣＤ１５の画面をオフするなどといった省電力機能を有している。この省電力化のために、本電子機器では、無線通信の非実行時に無線通信モジュール２０を電源オフする。Ｉｎｑｕｉｒｙ信号検出部２２は、Ｂｌｕｅｔｏｏｔｈ（登録商標）のＩｎｑｕｉｒｙ信号を（無線通信モジュール２０に代わって）検出し、当該Ｉｎｑｕｉｒｙ信号の検出を契機に電源オフ状態にある無線通信モジュール２０を電源オン状態に移行させるために設けられる回路である。Ｉｎｑｕｉｒｙ信号検出部２２の消費電力は、無線通信モジュール２０の消費電力と比較して格段に小さいので、本電子機器の電力消費を大幅に削減することができる。
【００１６】
ところで、このＩｎｑｕｉｒｙ信号検出部２２が、例えば通常通信信号をＩｎｑｕｉｒｙ信号と誤検出してしまうと、都度、電源オフ状態にある無線通信モジュール２０を無駄に電源オン状態に移行させてしまうことになる。そこで、本電子機器は、例えば通常通信信号をＩｎｑｕｉｒｙ信号と誤検出すること等を防止するための仕組みを備えたものであり、以下、この点について詳述する。
【００１７】
なお、ＥＣ／ＫＢＣ２３は、電力管理のための組み込みコントローラと、キーボード２５およびタッチパッド２６を制御するためのキーボードコントローラとが集積された１チップマイクロコンピュータである。ＥＣ／ＫＢＣは、パワーボタン２４の操作に応じて本電子機器を電源オン／電源オフする機能を有している。Ｉｎｑｕｉｒｙ信号検出部２２は、Ｂｌｕｅｔｏｏｔｈ（登録商標）のＩｎｑｕｉｒｙ信号を検出すると、その旨をこのＥＣ／ＫＢＣ２３に通知することにより、無線通信モジュール２０を電源オン状態に移行させる。また、Ｉｎｑｕｉｒｙ信号検出部２２は、当該Ｉｎｑｕｉｒｙ信号を検出した旨を通知するための信号を無線通信モジュール２０にも供給する。
【００１８】
図２は、Ｉｎｑｕｉｒｙ信号検出部２２の機能ブロックを示す図である。図示のように、Ｉｎｑｕｉｒｙ信号検出部２２は、パルス幅変更部２２１、パルス幅検出部２２２、バンドパスフィルタ（ＢＰＦ）２２３，２２４およびＢＰＦ出力判定部２２５を有している。
【００１９】
まず、このＩｎｑｕｉｒｙ信号検出部２２が備える、例えば通常通信信号をＩｎｑｕｉｒｙ信号と誤検出すること等を防止するための仕組みについての理解を助けるために、このような誤検出を誘発する事象例を説明する。
【００２０】
Ｂｌｕｅｔｏｏｔｈ（登録商標）のＩｎｑｕｉｒｙ信号は、図３に示すようになっている。図示のように、Ｉｎｑｕｉｒｙ信号は、８００Ｈｚと３．２ｋＨｚとの周波数成分よって形成されている。そこで、この周波数成分を、８００Ｈｚと３．２ｋＨｚ成分とをそれぞれ検出できるＢＰＦ２２３，２２４で検出を行い、各々の検出結果に基づき、ＢＰＦ出力判定部２２５が、Ｉｎｑｕｉｒｙ信号検出を実行する。このＢＰＦ２２３，２２４の周波数特性を図４および図５に示す。
【００２１】
一方、実際のＢｌｕｅｔｏｏｔｈ（登録商標）通信のデータ通信時に送られる送信パケットであるＤ１パケットの送信信号が、図６に示すように構成されていたとする。より具体的には、例えばＤｕｔｙ変動が発生し、そのパルス幅が８００Ｈｚの周期（１２５０μｓ）の１／４（３１２．５μｓ）を越えているものとする。この場合、その信号の周波数特性は、図７のように示すことができる。
【００２２】
Ｄ１パケットの送信信号は、８００Ｈｚ周期のパルスで送信されるため、その周波数成分は、２，３，４次高調波成分を持つ。つまり、（４次高調波である）３．２ｋＨｚ成分も含まれている。このため、パルス幅が８００Ｈｚの周期の１／４を越えていると、Ｉｎｑｕｉｒｙ信号検出に使用する、８００Ｈｚおよび３．２ｋＨｚを検出するためのＢＰＦ２２３，２２４の双方で検出され得る。そうすると、ＢＰＦ出力判定部２２５は、Ｂｌｕｅｔｏｏｔｈ（登録商標）のＩｎｑｕｉｒｙ信号を検出したと誤って判定してしまう。
【００２３】
そこで、本電子機器のＩｎｑｕｉｒｙ信号検出部２２は、パルス幅検出部２２２において、入力された入力信号のパルス幅を検出する。そして、このパルス幅検出部２２２で、パルス幅が８００Ｈｚ周期の１２５０μｓの１／４（３１２．５μｓ）を越えることを検出した場合、パルス幅変更部２２１において、そのパルス幅を３１２．５μｓに変更する。
【００２４】
入力信号が、図３に示したようなＩｎｑｕｉｒｙ信号の場合、そのパルス幅はすべて３１２．５μｓ以下であるため、パルス幅の変更は発生しない。そのため、その後段の３．２ｋＨｚの通過帯域のＢＰＦ２２３が、３．２ｋＨｚ周波数成分を検出する。また、同様に、８００Ｈｚの通過帯域のＢＰＦ２２４が、８００Ｈｚの周波数成分を検出する。その結果、ＢＰＦ出力判定部２２５において、これらＢＰＦ２２３，２２４の検出出力に対して論理積を取った場合、３．２ｋＨｚと８００Ｈｚとの信号成分を持ったＩｎｑｕｉｒｙ信号を検出することができる。
【００２５】
これに対して、図６に示したようなＢｌｕｅｔｏｏｔｈ（登録商標）の通常通信のＤ１パケット通信信号を入力信号とした場合を改めて考える。つまり、図示のように、入力信号のパルス幅が８００Ｈｚの周期の１／４を越える信号の場合、その周波数特性は、図７に示すように、８００Ｈｚの４次高調波である３．２ｋＨｚの信号成分が含まれる。そこで、このＩｎｑｕｉｒｙ信号検出部２２では、この入力信号を、パルス幅変更部２２１において、８００Ｈｚ周期の１２５０μｓの１／４（３１２．５μｓ）に変更（整形）する。このパルス幅を整形した信号は、図８に示すようになる。
【００２６】
パルス幅を整形した信号の周波数特性は、図９に示すように、８００Ｈｚの４次高調である３．２ｋＨｚの信号成分が減衰した信号となる。このパルス幅を整形した信号を３．２ｋＨｚのＢＰＦ２２３と８００ＨｚのＢＰＦ２２４とに入力する。すると、３．２ｋＨｚ周波数成分は検出されない。よって、ＢＰＦ出力判定部２２５において、３．２ｋＨｚのＢＰＦ２２３と８００ＨｚのＢＰＦ２２４との論理積を取った信号は検出されない。これは、Ｉｎｑｕｉｒｙ信号を検出しないことになる。つまり、Ｂｌｕｅｔｏｏｔｈ（登録商標）のＩｎｑｕｉｒｙ信号を検出したと誤検出することを防止できる。
【００２７】
図１０は、Ｉｎｑｕｉｒｙ信号検出部２２の動作原理を示すフローチャートである。
【００２８】
まず、パルス幅検出部２２２が、入力信号のパルス幅を検出する（ステップＡ１）。そして、入力信号のパルス幅が所定のパルス幅を越えていることが検出されると（ステップＡ２のＹＥＳ）、パルス幅変更部２２１が、この入力信号のパルス幅を所定のパルス幅に変更する（ステップＡ３）。
【００２９】
ＢＰＦ２２３，２２４は、入力信号についてＩｎｑｕｉｒｙ信号用の周波数成分（３．２ｋＨｚ，８００Ｈｚ）の検出を行い（ステップＡ４）、ＢＰＦ２２３，２２４の双方が検出した場合（ステップＡ５のＹＥＳ）、ＢＰＦ出力判定部２２５は、Ｉｎｑｕｉｒｙ信号を検出した旨を示す出力信号を出力する（ステップＡ６）。
【００３０】
このように、本電子機器は、Ｂｌｕｅｔｏｏｔｈ（登録商標）のＩｎｑｕｉｒｙ信号を検出するＩｎｑｕｉｒｙ信号検出部２２が、入力信号のパルス幅が８００Ｈｚ周期の１２５０μｓの１／４（３１２．５μｓ）を越えることを検出した場合、そのパルス幅を３１２．５μｓに変更する仕組みを備えることにより、例えばＢｌｕｅｔｏｏｔｈ（登録商標）のＤ１パケットの送信信号をＩｎｑｕｉｒｙ信号と誤検出することを防止する。つまり、電源オフ状態にある無線通信モジュール２０を無駄に電源オン状態に移行させてしまうことがない。
【００３１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００３２】
１１…ＣＰＵ、１２…ノースブリッジ、１３…主メモリ、１４…グラフィクスコントローラ、１５…ＬＣＤ、１６…サウスブリッジ、１７…ＢＩＯＳ−ＲＯＭ、１８…ＨＤＤ、１９…ＯＤＤ、２０…無線通信モジュール、２１…アンテナ、２２…Ｉｎｑｕｉｒｙ信号検出部、２３…ＥＣ／ＫＢＣ、２４…パワーボタン、２５…キーボード、２６…タッチパッド、２２１…パルス幅変更部、２２２…パルス幅検出部、２２３，２２４…バンドパスフィルタ、２２５…ＢＰＦ出力判定部。
【図１】
2011254162.tif 000003
【図２】
2011254162.tif 000004
【図３】
2011254162.tif 000005
【図４】
2011254162.tif 000006
【図５】
2011254162.tif 000007
【図６】
2011254162.tif 000008
【図７】
2011254162.tif 000009
【図８】
2011254162.tif 000010
【図９】
2011254162.tif 000011
【図１０】
2011254162.tif 000012